(57)【要約】【課題】  非接触ＩＣチップのＩＤ情報の有効利用。【解決手段】  非接触ＩＣチップのＩＤ情報読み取り手段を含む物品廃棄部１と、該物品廃棄部１により読み取ったＩＤ情報をデータベース６に格納して管理するセンターシステム２とを備え、物品廃棄部１の読取装置４により読み取ったＩＤ情報を再利用可能なＩＤ情報としてセンターシステム２のデータベース６に格納し、再利用可能なＩＤ情報を他の物品に使用するために配布先１１等に提供するＩＤ情報再利用システム。前記物品廃棄部は、非接触ＩＣチップのＩＤ情報を非接触で読み取る、物品の廃棄用ゴミ収集車、又はゴミ焼却場、又は紙、カード、ＣＤ等ディジタルメディアを裁断するシュレッダー、又はリライトカードのリーダーライター、又は駅の切符自動改札機、又は定期券発行機等が好適である。【選択図】  図１
2006039696.tif 000002
【特許請求の範囲】
【請求項１】
物品に付加され、ＩＤ情報を発する非接触ＩＣチップのＩＤ情報再利用システムであって、非接触ＩＣチップのＩＤ情報読み取り手段を含む物品廃棄部と、該物品廃棄部により読み取ったＩＤ情報をデータベースに格納して管理するセンターシステムとを備え、前記物品廃棄部により読み取ったＩＤ情報を再利用可能なＩＤ情報として前記センターシステムのデータベースに格納し、前記再利用可能なＩＤ情報を他の物品に使用するために提供することを特徴とするＩＤ情報再利用システム。
【請求項２】
請求項１記載のＩＤ情報再利用システムにおいて、前記物品廃棄部が、非接触ＩＣチップのＩＤ情報を非接触で読み取る、物品の廃棄用ゴミ収集車、又はゴミ焼却場、又は紙、カード、ＣＤ等ディジタルメディアを裁断するシュレッダー、又は文字等を印字可能且つ磁気情報を記録可能なリライトカードのリーダーライター、又は駅の切符自動改札機、又は駅の乗り越し料金清算機、又は定期券自動発行機、又はペットボトル回収ボックス、又はゴミ粉砕機付きシンク、又はキャッシュディスペンサー、又は万引き防止タグの消去機、又はトイレの排水管、又は自動消印機であることを特徴とするＩＤ情報再利用システム。
【請求項３】
物品に付加され、ＩＤ情報を発する非接触ＩＣチップのＩＤ情報再利用方法であって、非接触ＩＣチップのＩＤ情報読み取り手段を含む物品廃棄部と、該物品廃棄部により読み取ったＩＤ情報をデータベースに格納して管理するセンターシステムとを用い、前記物品廃棄部により読み取ったＩＤ情報を再利用可能なＩＤ情報として前記センターシステムのデータベースに格納する第１ステップと、該第１ステップにより格納した再利用可能なＩＤ情報を他の物品に使用するために提供する第２ステップとを含むことを特徴とするＩＤ情報再利用方法。
【請求項４】
請求項３記載のＩＤ情報再利用方法において、前記物品廃棄部が、非接触ＩＣチップのＩＤ情報を非接触で読み取る、物品の廃棄用ゴミ収集車、又はゴミ焼却場、又は紙、カード、ＣＤ等ディジタルメディアを裁断するシュレッダー、又は文字等を印字可能且つ磁気情報を記録可能なリライトカードのリーダーライター、又は駅の切符自動改札機、又は駅の乗り越し料金清算機、又は定期券自動発行機、又はペットボトル回収ボックス、又はゴミ粉砕機付きシンク、又はキャッシュディスペンサー、又は万引き防止タグの消去機、又はトイレの排水管、又は自動消印機であることを特徴とするＩＤ情報再利用方法。
【発明の詳細な説明】
【技術分野】
【０００１】
本発明は、一意なＩＤ情報が付与された非接触ＩＣチップのＩＤ情報を再利用することができるＩＤ情報再利用システム及びＩＤ情報再利用方法に係り、特に廃棄される非接触ＩＣチップのＩＤ情報を識別及び収集して再利用することができるＩＤ情報再利用システム及びＩＤ情報再利用方法に関する。
【背景技術】
【０００２】
近年提案されている非接触ＩＣチップは、一意なＩＤ情報が付与された物品タグとして利用され、例えば商品（物品）の販売管理、販売後のトレーシング、物品の偽造防止、盗品の発見等の使用方法が予定されている。例えば、スーパマーケット等においては、多数の物品に前記非接触ＩＣチップを物品タグとして貼り付け、物品の存在を物品棚に設けたセンサによりＩＤ情報を検出することによって物品の在庫管理を行うことや、販売時にレジにおいて自動的に前記ＩＤ情報を検出することにより従来のバーコードに代わり物品価格等を自動入力することや、書店においては、書籍の紙材の中に前記非接触ＩＣチップを含ませることにより前記在庫管理〜販売管理や盗難防止に使用することや、紙幣に非接触ＩＣチップを含ませることにより偽造紙幣の発見を容易にすることや、物品の流通ルート上で前記非接触ＩＣチップのＩＤ情報を読み取ることにより物品の流通ルートを探ることが予定されている。この非接触ＩＣチップのＩＤ情報は、ＩＤ情報を管理するセンターシステムによってＩＣチップ毎に唯一付与されるものである。
【０００３】
尚、非接触ＩＣチップのＩＤ情報の管理に関する技術が記載された文献としては、例えば下記特許文献が挙げられる。
【特許文献１】特開２００１−２８３１７１号公報
【発明の開示】
【発明が解決しようとする課題】
【０００４】
前記非接触ＩＣチップは、その非接触ＩＣチップが貼付又は内蔵された物品等が廃棄された場合、物品等に付与された非接触ＩＣチップも当該物品が処分される際に物品と共に処理されてしまうが、その非接触ＩＣチップに対応付けされていた一意なＩＤ情報はＩＤ情報を管理するセンターシステムに残ったままであった。このため従来技術においては、廃棄された非接触ＩＣチップのＩＤ情報を、別の非接触ＩＣチップに割り当てることができないと言う不具合があった。
【０００５】
この非接触ＩＣチップに使用されるＩＤ情報は、有限情報（３９桁（１２８ビット）、２０桁等の情報）のためほぼ無限大に近いものの有限であり、将来、非接触ＩＣチップがあらゆる物品に付与された際には、そのＩＤ情報を持つ非接触ＩＣチップが廃棄・焼却等によって使用不能にもかかわらず、管理センターシステムにより管理され、ＩＤ情報の有効利用を図ることができず、ＩＤ情報が枯渇する可能性があると言う不具合があった。また、前記ＩＤ情報の情報量を更に増大することも考えられるが、既に使用不要なＩＤ情報のために管理センターシステムが当該不要ＩＤ情報を管理しなければならないと言う不具合もあった。
【０００６】
本発明の目的は、前記従来技術による不具合を除去することであり、廃棄・焼却された非接触ＩＣチップのＩＤ情報を再利用することができるＩＤ情報再利用システム及びＩＤ情報再利用方法を提供することである。
【課題を解決するための手段】
【０００７】
前記目的を達成するため本発明は、物品に付加され、ＩＤ情報を発する非接触ＩＣチップのＩＤ情報再利用システムであって、非接触ＩＣチップのＩＤ情報読み取り手段を含む物品廃棄部と、該物品廃棄部により読み取ったＩＤ情報をデータベースに格納して管理するセンターシステムとを備え、前記物品廃棄部により読み取ったＩＤ情報を再利用可能なＩＤ情報として前記センターシステムのデータベースに格納し、前記再利用可能なＩＤ情報を他の物品に使用するために提供することを第１の特徴とし、このＩＤ情報再利用システムにおいて、前記物品廃棄部が、非接触ＩＣチップのＩＤ情報を非接触で読み取る、物品の廃棄用ゴミ収集車、又はゴミ焼却場、又は紙、カード、ＣＤ等ディジタルメディアを裁断するシュレッダー、又は文字等を印字可能且つ磁気情報を記録可能なリライトカードのリーダーライター、又は駅の切符自動改札機、又は駅の乗り越し料金清算機、又は定期券自動発行機、又はペットボトル回収ボックス、又はゴミ粉砕機付きシンク、又はキャッシュディスペンサー、又は万引き防止タグの消去機、又はトイレの排水管、又は自動消印機であることを第２の特徴とする。
【０００８】
更に本発明は、物品に付加され、ＩＤ情報を発する非接触ＩＣチップのＩＤ情報再利用方法であって、非接触ＩＣチップのＩＤ情報読み取り手段を含む物品廃棄部と、該物品廃棄部により読み取ったＩＤ情報をデータベースに格納して管理するセンターシステムとを用い、前記物品廃棄部により読み取ったＩＤ情報を再利用可能なＩＤ情報として前記センターシステムのデータベースに格納する第１ステップと、該第１ステップにより格納した再利用可能なＩＤ情報を他の物品に使用するために提供する第２ステップとを含むことを第３の特徴とし、このＩＤ情報再利用方法において、前記物品廃棄部が、非接触ＩＣチップのＩＤ情報を非接触で読み取る、物品の廃棄用ゴミ収集車、又はゴミ焼却場、又は紙、カード、ＣＤ等ディジタルメディアを裁断するシュレッダー、又は文字等を印字可能且つ磁気情報を記録可能なリライトカードのリーダーライター、又は駅の切符自動改札機、又は駅の乗り越し料金清算機、又は定期券自動発行機、又はペットボトル回収ボックス、又はゴミ粉砕機付きシンク、又はキャッシュディスペンサー、又は万引き防止タグの消去機、又はトイレの排水管、又は自動消印機であることを第４の特徴とする。
【発明の効果】
【０００９】
本発明により、処分・消去される際の非接触ＩＣチップのＩＤ情報を読み取って管理するため、非接触ＩＣチップに付与されているＩＤ情報を、再利用することができる。即ち、非接触ＩＣチップが処分・消去される際に、今後使われることがないＩＤ情報を収集することができ、更には数が有限であるＩＤ情報が、枯渇する時期を遅らせることができる。
【発明を実施するための最良の形態】
【００１０】
以下、本発明によるＩＤ情報再利用システム及びＩＤ情報再利用方法の一実施形態を図面を参照して詳細に説明する。図１は、非接触ＩＣチップのＩＤ情報の収集から再配布を行うＩＤ情報再利用システムの全体概要を説明するための図、図２は、非接触ＩＣチップの回収から廃棄までの処理フローを説明するための図、図３は収集した再利用可能ＩＤ情報を問い合わせ者に提供する処理フローを示す図である。
【００１１】
本実施形態によるＩＤ情報再利用システムは、図１に示す如く、ゴミ収集車、ゴミ処理施設等の物品廃棄部１と、該物品廃棄部１から廃棄される物品に付けられた非接触ＩＣチップに付与されたＩＤ情報を入手して管理するセンターシステム２と、該ＩＤ情報の問い合わせを行う物品メーカ等の問い合わせ者３と、ＩＤ情報を再利用するメーカ等の配布先１１とから構成される。
【００１２】
前記物品廃棄部１は、非接触ＩＣチップのＩＤ情報を非接触で読み取るＩＤ読み取り装置４と、非接触ＩＣチップを含む物品の廃棄・焼却等の前記ＩＤ情報を使用不可能な状態に物理的に処分する廃棄処理部５とから構成され、前記センターシステム２は、前記物品廃棄部１から入手したＩＤ情報を格納して管理する再利用可能ＩＤのデータベース６を含むものである。
【００１３】
前記物品廃棄部１は、例えば、ゴミ投入口の近傍にＩＤ情報を非接触で読み取るセンサを配置したゴミ収集車や焼却炉の他に、物品の投入口／搬送路等にセンサを配置した次の例が考えられる。
(1)紙、カード、ＣＤ等ディジタルメディアを裁断するシュレッダー。
(2)文字等を印字可能且つ磁気情報を記録可能なリライトカードのリーダーライター（文字を消去することにより、廃棄扱いとする時）。
(3)駅の切符自動改札機、乗り越し料金清算機（切符の回収時）。
(4)定期券自動発行機（古い定期券の回収時）
(5)ペットボトル回収ボックス。
(6)ごみ粉砕機付きシンク。
(7)家庭用ごみ焼却炉。
(8)銀行等のキャッシュディスペンサー（暗証番号投入誤り等によりカードを無効化時）
(9)万引き防止タグの消去機。
(10)トイレの排水管(人体内に入ってしまったチップが排出時）。
(11)自動消印機
【００１４】
さて、このように構成されたＩＤ情報再利用システムは、図２に示す如く、前述の物品廃棄部１により非接触ＩＣチップが付加された物品の廃棄等により非接触ＩＣを回収し（ステップ１０１）、このとき物品の投入口等に配置されたＩＣ読取装置４が非接触ＩＣチップのＩＤ情報を読み取り（ステップ１０２）、この読み取ったＩＤ情報をセンターシステム２のデータベース６に送信（ステップ１０３）し、このＩＤ情報を受信したセンターシステム２は、前記ＩＤ情報をデータベース６に登録してデータベース化（ステップ１０４）を行った後に前記非接触ＩＣチップを廃棄（ステップ１０５）する様に動作し、これによって非接触ＩＣチップ自体の焼却又は廃棄、非接触ＩＣが付けられた物品の物理的消滅（例えば、切符の裁断、ペットボトルのチップ化）する際、その物理的消滅する前に非接触ＩＣチップのＩＤ情報を読み取り、これをセンターシステム２のデータベース６に登録することによって再利用可能なＩＤ情報を管理することができる。
【００１５】
尚、前記廃棄等の際、非接触ＩＣチップの電波／電磁波等の到達距離が短いこと並びにＩＤ読み取り装置（センサ）の配置との関係によっては、廃棄等がされる非接触ＩＣチップ全てのＩＤ情報を読み取ることができないこと、換言すればＩＤ情報の読み取り漏れが生じることも想定されるが、本実施形態においては必ずも全ての廃棄非接触ＩＣチップの全ＩＤ情報を読み取る必要はなく、廃棄される分から何割かの漏れがあったとしても認識できたＩＤ情報は再利用することができる。
【００１６】
次いで本システムは、図３に示す如く、前記図２を用いた処理によって廃棄前の非接触ＩＣチップのＩＤ情報のデータベース化を行い（ステップ２０１）、次いで、ＩＤ情報を必要とする問い合わせ者３がセンターシステム２に問い合わせ（ステップ２０２）を行った際、センターシステム２が問い合わせ者３に対してデータベース６に格納された再利用可能なＩＤ情報を送信（ステップ２０３）することによって、非接触ＩＣチップのＩＤ情報を再利用することができる。
【００１７】
尚、本システムは、前記問い合わせ者３からの問い合わせだけでなく、ＩＤ情報を必要とするメーカ等の配布先１１にＩＤ情報を配布（販売）する様に構成しても良い、尚、前記問い合わせ者３及び配布先１１に通知したＩＤ情報は、データベース６内において使用済みとして問い合わせ者３及び配布先１１のコード等と共に管理される。
【００１８】
また、この際利用されたＩＤ情報が再び物品廃棄部１により検出された際には、当該ＩＤ情報は、一旦データベース６から削除され又は更新され、新たな再利用可能なＩＤ情報として登録される。
【００１９】
更に本システムは、センターシステム２が、前記データベース６に格納した再利用可能なＩＤ情報を予め登録されたユーザー・法人等の配布先１１に対して定期的に通知することや、このＩＤ情報を通知する際、ＩＤ情報のの一部分もしくはすべての一致を比較し、複数の一致したＩＤ情報をまとめてユーザーに通知する様に構成しても良い。例えば、上位何桁まで共通するＩＤ情報を抽出し、この上位桁が共通する複数のＩＤ情報を配布先１１に通知することによって、これを受けた配布先１１側の管理を容易にすることができる。
【産業上の利用可能性】
【００２０】
本発明によるＩＤ情報再利用システム及びＩＤ情報再利用方法は、ゴミ収集車、ゴミ処理施設等、紙／カード／ＣＤ等ディジタルメディアを裁断するシュレッダー、文字等を印字可能且つ磁気情報を記録可能なリライトカード（文字を消去すると廃棄扱いになるカード）のリーダーライター、駅の切符自動改札機、乗り越し料金清算機（切符の回収時）、定期券自動発行機（古い定期券の回収時）、ペットボトル回収ボックス、ごみ粉砕機付きシンク、家庭用ごみ焼却炉、銀行等のキャッシュディスペンサー（暗証番号投入誤り等によりカードを無効化時）、万引き防止タグの消去機、トイレの排水管(人体内に入ってしまったチップが排出時）、紙幣の焼却装置、自動消印機等の全ての物品の廃棄又は焼却システムに適用することができる。
【図面の簡単な説明】
【００２１】
【図１】本発明の一実施形態による非接触ＩＣチップのＩＤ情報の収集から再配布を行うＩＤ情報再利用システムの全体概要を説明するための図。
【図２】本実施形態による非接触ＩＣチップの回収から廃棄までの処理フローを説明するための図。
【図３】本実施形態による収集した再利用可能ＩＤ情報を問い合わせ者に提供する処理フローを示す図。
【符号の説明】
【００２２】
１：物品廃棄部、２：センターシステム、３：問い合わせ者、４：読取装置、５：廃棄処理部、６：データベース、１１：配布先。
【図１】
2006039696.tif 000003
【図２】
2006039696.tif 000004
【図３】
2006039696.tif 000005